(57)【要約】【課題】表示パネルの故障を、その故障の原因の種別に拘らず正確に検知する技術を提供する。【解決手段】表示装置１は、第１画像を映し出すことが可能な表示パネル２と、表示パネル２によって映し出された第１画像を撮影する外部カメラ３と、外部カメラ３によって撮影された第１画像に基づいて、表示パネル２の故障を検知する故障検知部４と、を備える。表示装置１は、故障検知部４による検知結果に基づいて、表示パネル２のうち第１画像を正常に映し出すことが可能な矩形領域としての表示可能領域Lを算出して特定する表示可能領域算出部６と、補助表示可能領域算出部８によって算出された表示可能領域Lに表示パネル２が第１画像を縮小して表示するように表示パネル２を制御する表示パネル制御部７と、を更に備える。【選択図】図１
2012173442.tif 000002
【特許請求の範囲】
【請求項１】
第１画像を映し出すことが可能な表示パネルと、
前記表示パネルによって映し出された前記第１画像を撮影する撮影手段と、
前記撮影手段によって撮影された前記第１画像に基づいて、前記表示パネルの故障を検知する故障検知手段と、
を備えた、
表示装置。
【請求項２】
請求項１に記載の表示装置であって、
前記故障検知手段による検知結果に基づいて、前記表示パネルのうち前記第１画像を正常に映し出すことが可能な矩形領域としての表示可能領域を算出して特定する表示可能領域算出手段と、
前記表示可能領域算出手段によって算出された前記表示可能領域に前記表示パネルが前記第１画像を縮小して表示するように前記表示パネルを制御する表示パネル制御手段と、
を更に備えた、
表示装置。
【請求項３】
請求項２に記載の表示装置であって、
前記表示パネルのうち、前記表示可能領域を除いた領域であって、前記第１画像と同一の又は異なる画像としての第２画像を正常に映し出すことが可能な矩形領域としての補助表示可能領域を算出して特定する補助表示可能領域算出手段と、
を更に備え、
前記表示パネル制御手段は、前記補助表示可能領域算出手段によって算出された前記補助表示可能領域に前記表示パネルが前記第２画像を表示するように前記表示パネルを制御する、
表示装置。
【請求項４】
請求項１〜３の何れかに記載の表示装置を備えた液晶表示装置。
【請求項５】
請求項１〜３の何れかに記載の表示装置を備えた有機EL表示装置。
【発明の詳細な説明】
【技術分野】
【０００１】
本発明は表示装置に関する。
【背景技術】
【０００２】
この種の技術として、特許文献１は、液晶表示装置の故障に関連した技術を開示している。液晶表示装置は、一般に、表示パネル、複数のソースドライバ、複数のゲートドライバ、各ドライバへスタート信号を出力するタイミング制御部、バックライトなどから構成されている。そして、何れかのソースドライバが故障した際は、その故障したソースドライバを特定すると共に、表示パネル上で表示可能な領域を判定し、その領域に、本来表示パネル全体で表示すべき画像を縮小表示させるようにしている。
【先行技術文献】
【特許文献】
【０００３】
【特許文献１】特開２０１０−１０７９３３号公報
【発明の概要】
【発明が解決しようとする課題】
【０００４】
しかし、上記特許文献１の技術では、ドライバの故障にしか対応することができない。
【０００５】
本願発明の目的は、表示パネルの故障を、その故障の原因の種別に拘らず正確に検知する技術を提供することにある。
【課題を解決するための手段】
【０００６】
本願発明の観点によれば、第１画像を映し出すことが可能な表示パネルと、前記表示パネルによって映し出された前記第１画像を撮影する撮影手段と、前記撮影手段によって撮影された前記第１画像に基づいて、前記表示パネルの故障を検知する故障検知手段と、を備えた表示装置が提供される。
【発明の効果】
【０００７】
本願発明によれば、前記表示パネルに映し出された最終的な前記第１画像に基づいて前記表示パネルの故障を検知しているので、前記表示パネルの故障を、その故障の原因の種別に拘らず正確に検知することができる。
【図面の簡単な説明】
【０００８】
【図１】図１は、表示装置の機能ブロック図である。（第１実施形態）
【図２】図２は、表示装置の斜視図である。（第２実施形態）
【図３】図３は、表示装置の機能ブロック図である。（第２実施形態）
【図４】図４は、表示装置の制御フローである。（第２実施形態）
【図５】図５は、正常動作時における表示パネルの正面図である。（第２実施形態）
【図６】図６は、異常発生時における表示パネルの正面図である。（第２実施形態）
【図７】図７は、表示装置の機能ブロック図である。（第３実施形態）
【図８】図８は、表示装置の制御フローである。（第３実施形態）
【図９】図９は、異常発生時における表示パネルの正面図である。（第３実施形態）
【図１０】図１０は、異常発生時における表示パネルの正面図である。（第４実施形態）
【発明を実施するための形態】
【０００９】
（第１実施形態）
先ず、図１を参照しつつ、本願発明の第１実施形態を説明する。
【００１０】
図１に示すように、例えば液晶表示装置や有機EL表示装置といった表示装置１は、表示パネル２と、外部カメラ３（撮影手段）と、故障検知部４（故障検知手段）と、を備えて構成されている。
【００１１】
表示パネル２は、第１画像を映し出すものである。
【００１２】
外部カメラ３は、表示パネル２によって映し出された第１画像を撮影するものである。外部カメラ３は、例えば、CCDカメラやCMOSカメラ（裏面照射型を含む）である。
【００１３】
故障検知部４は、外部カメラ３によって撮影された第１画像に基づいて、表示パネル２の故障を検知するものである。
【００１４】
以上の構成によれば、表示パネル２に映し出された最終的な第１画像に基づいて表示パネル２の故障を検知しているので、表示パネル２の故障を、その故障の原因の種別に拘らず正確に検知することができる。
【００１５】
（第２実施形態）
次に、図２〜６を参照しつつ、第２実施形態を説明する。
【００１６】
図２及び図３に示すように、表示装置１は、表示パネル２と、外部カメラ３と、制御部５（制御手段）と、を備えて構成されている。
【００１７】
制御部５は、CPU（Central Processing Unit）やRAM（Random Access Memory）、ROM（Read Only Memory）を備えて構成されている。そして、ROMに記憶されている制御プログラムがCPUによって読み込まれ、CPU上で実行されることで、制御プログラムは、CPUなどのハードウェアを、故障検知部４、表示可能領域算出部６（表示可能領域算出手段）、表示パネル制御部７（表示パネル制御手段）として機能させる。
【００１８】
表示パネル２は、制御部５又は表示パネル制御部７からの制御信号に基づいて、所望の第１画像を映し出す。本実施形態において、第１画像は、図５に示すように、コンパクトカーの写真である。
【００１９】
外部カメラ３は、表示パネル２によって映し出された第１画像を撮影して画像データを生成し、生成した画像データを制御部５の故障検知部４に出力する。外部カメラ３は、図２に示すように、表示パネル２の上縁に着脱可能に設けられた後付けのカメラである。
【００２０】
故障検知部４は、外部カメラ３から入力された画像データに基づいて、表示パネル２の故障を検知し、その検知結果を表示可能領域算出部６に出力する。ここで、「検知結果」とは、表示パネル２の故障の発生箇所の位置情報を含む。
【００２１】
表示可能領域算出部６は、故障検知部４からの検知結果に基づいて、表示パネル２のうち第１画像を正常に映し出すことが可能な矩形領域としての表示可能領域L（図６参照）を算出して特定し、表示可能領域データを生成する。表示可能領域算出部６は、生成した表示可能領域データを表示パネル制御部７に出力する。なお、「正常に映し出す」とは、「縮尺を変えて映し出す」ことを含むものとする。
【００２２】
表示パネル制御部７は、表示可能領域算出部６から入力された表示可能領域データに基づいて、表示パネル２の表示可能領域Lに表示パネル２が第１画像を縮小して表示するように表示パネル２を制御する。
【００２３】
次に、図４等を参照しつつ、表示装置１の作動を説明する。
【００２４】
表示装置１の電源を投入すると（S300）、制御部５は、表示パネル２に第１画像を表示する（S310）。次に、外部カメラ３は、表示パネル２に映し出された第１画像を撮影して画像データを生成し（S320）、生成した画像データを制御部５の故障検知部４に出力する。すると、故障検知部４は、外部カメラ３から入力された画像データについて、故障検知処理を行う（S330）。具体的には、故障検知部４は、公知の画像処理アルゴリズムを利用して、画像データの中で、電気的な故障により定常的に黒又は白のままとなっている画素や、環境的な原因により保護ガラスが汚れていたり傷が着いていたりして第１画像のまま表示されていない画素などを特定する。或いは、故障検知部４は、制御部５が表示パネル２に表示している第１画像を制御部５から別途取得し、その第１画像と、外部カメラ３によって撮影された第１画像を比較することで異常な画素を特定することとしてもよい。
【００２５】
故障検知部４による故障検知処理を終え（S330）、故障検知部４によって故障が検知されたら（S340:YES）、制御部５は、その故障について対応可能か判定する（S350）。もし、故障検知部４によって故障が全く検知されなかったら（S340:NO）、処理をS310に戻す。また、もし、故障検知部４によって検知された故障が表示パネル２の全体にわたって広範囲に分布していたら、もはや表示パネル２は全く使用することができないので、制御部５は対応不可と判定し（S350:NO）、第１アラームを出力した上で（S360）、処理を終了する（S370）。「第１アラームを出力する」とは、例えば、「表示装置１に外付けしたアラームランプを点滅させる」や「表示装置１が内蔵しているスピーカから警告音を発する」などを意味する。もし、故障検知部４によって検知された故障が表示パネル２の極一部であったなら、表示パネル２は残された部分を利用するかたちで継続して表示パネル２を使用することができるので、制御部５は対応可能と判定する（S350:YES）。この判定（S350:YES）を受けて、故障検知部４は、故障検知処理の検知結果を表示可能領域算出部６に出力する。
【００２６】
表示可能領域算出部６は、故障検知部４による検知結果に基づいて、表示パネル２のうち第１画像を正常に映し出すことが可能な矩形領域としての表示可能領域L（図６参照）を算出して特定し、表示可能領域データを生成する（S380）。表示可能領域算出部６は、この算出に際し、現在の表示可能領域を参酌することができる。図５には、表示パネル２の全体にわたって第１画像が映し出されている。そして、故障検知部４による故障検知処理の結果、図６に示すように表示パネル２の左上に何らかの異常Dが検知されたとする。この場合、表示可能領域算出部６は、図６に示すように、異常箇所を避けるように表示可能領域Lを算出して特定する。そして、表示可能領域算出部６は、算出した表示可能領域Lを表示可能領域データとして表示パネル制御部７に出力する。
【００２７】
表示パネル制御部７は、表示可能領域算出部６から入力された表示可能領域データに基づいて、表示パネル２の表示可能領域Lに表示パネル２が第１画像を縮小して表示するように表示パネル２を制御する（S400）。
【００２８】
そして、制御部５は、表示パネル２に異常が検出されたとして、第２アラームを出力する（S420）。「第２アラームを出力」とは、「第１アラームの出力」よりも若干控えめなアラームの出力であって、例えば、「表示装置１が内蔵しているスピーカから特別なメロディーを出力する」などを意味する。そして、制御部５は、処理をS320に戻す。
【００２９】
以上に本願発明の好適な第２実施形態を説明したが、上記第２実施形態は、要するに、以下の特長を有している。
【００３０】
表示装置１は、故障検知部４による検知結果に基づいて、表示パネル２のうち第１画像を正常に映し出すことが可能な矩形領域としての表示可能領域Lを算出して特定する表示可能領域算出部６と、補助表示可能領域算出部８によって算出された表示可能領域Lに表示パネル２が第１画像を縮小して表示するように表示パネル２を制御する表示パネル制御部７と、を更に備える。以上の構成によれば、表示パネル２に第１画像を正常に表示させることができる。
【００３１】
（第３実施形態）
次に、図７〜９を参照しつつ、本願発明の第３実施形態を説明する。ここでは、本実施形態が上記第２実施形態と異なる点を中心に説明し、重複する説明は適宜省略する。また、上記第２実施形態の各構成要素に対応する構成要素には原則として同一の符号を付すこととする。
【００３２】
本実施形態において、表示装置１の制御部５は、補助表示可能領域算出部８（補助表示可能領域算出手段）を更に備えている。
【００３３】
補助表示可能領域算出部８は、表示パネル２のうち、表示可能領域Lを除いた領域であって、第１画像と同一の又は異なる画像としての第２画像を正常に映し出すことが可能な矩形領域としての補助表示可能領域Mを算出して特定する。
【００３４】
そして、表示パネル制御部７は、補助表示可能領域算出部８によって算出された補助表示可能領域算出部８に表示パネル２が第２画像を表示するように表示パネル２を制御する。ここで、「第２画像」とは、表示可能領域Lに縮小表示される第１画像と関連性のある画像であってもよいし、例えば天気予報などの全く関連性のない画像であってもよい。或いは、第１アラームや第２アラームを体現する画像であってもよい。本実施形態において、第２画像は、天気予報情報を含んだ画像である。
【００３５】
次に、図８等を参照しつつ、表示装置１の作動を説明する。
【００３６】
図８に示すように表示可能領域算出部６が表示可能領域Lの算出を終えると（S380）、補助表示可能領域算出部８は、表示パネル２のうち、表示可能領域Lを除いた領域であって、第２画像を正常に映し出すことが可能な矩形領域としての補助表示可能領域Mを算出する（S390）。図９に示す例では、補助表示可能領域Mを表示可能領域Lの左側に確保している。
【００３７】
そして、表示パネル制御部７は、表示パネル２の表示可能領域Lに表示パネル２が第１画像を縮小して表示するように表示パネル２を制御する（S400）。また、表示パネル制御部７は、図９に示すように、表示パネル２の補助表示可能領域Mに表示パネル２が第２画像を表示するように表示パネル２を制御する（S410）。
【００３８】
以上に本願発明の好適な第３実施形態を説明したが、上記第３実施形態は、要するに、以下の特長を有している。
【００３９】
表示装置１は、表示パネル２のうち、表示可能領域Lを除いた領域であって、第１画像と同一の又は異なる画像としての第２画像を正常に映し出すことが可能な矩形領域としての補助表示可能領域Mを算出して特定する補助表示可能領域算出部８を更に備える。表示パネル制御部７は、補助表示可能領域算出部８によって算出された補助表示可能領域Mに表示パネル２が第２画像を表示するように表示パネル２を制御する。以上の構成によれば、表示パネル２によって視聴者に伝達される情報量を高いレベルに維持することが可能となる。
【００４０】
（第４実施形態）
次に、図１０を参照しつつ、本願発明の第４実施形態を説明する。ここでは、本実施形態が上記第２実施形態と異なる点を中心に説明し、重複する説明は適宜省略する。また、上記第２実施形態の各構成要素に対応する構成要素には原則として同一の符号を付すこととする。
【００４１】
上記第３実施形態では、補助表示可能領域算出部８は、補助表示可能領域Mを１つ算出して特定していた。しかし、これに代えて、補助表示可能領域算出部８は、図１０に示すように補助表示可能領域Mを複数（図では２つ）算出して特定してもよい。
【符号の説明】
【００４２】
１  表示装置
２  表示パネル
３  外部カメラ
【図１】
2012173442.tif 000003
【図２】
2012173442.tif 000004
【図３】
2012173442.tif 000005
【図４】
2012173442.tif 000006
【図５】
2012173442.tif 000007
【図６】
2012173442.tif 000008
【図７】
2012173442.tif 000009
【図８】
2012173442.tif 000010
【図９】
2012173442.tif 000011
【図１０】
2012173442.tif 000012